(57)【要約】【課題】四足動物の顔又は頭部の周囲にわたって輪状のバンパー片を突出させ、壁等の障害物に当該バンパー片が当たった際に、輪の円形が変形ことによって衝撃を吸収可能な四足動物用バンパー。【解決手段】四足動物の体の両側で、首から胴部にかけて装着する２本の本体フレーム１を設け、各本体フレーム１の前部に、犬の首上部に掛ける略逆Ｕ字型の首部フレーム２を立設し、前記各本体フレーム１から、当該両側の本体フレーム１をたるみを設けて繋ぐ前方ベルト３を設け、前方ベルト３は端部又は中ほどで着脱自在に接続され、四足動物の顔の両側に位置する両側の本体フレーム１の先端から前記四足動物の顔又は頭部の前方を囲むように輪状の弾性変形可能な材質から成るバンパー片５を突出させ、四足動物の前足の後ろの両側の本体フレーム１の後部に四足動物の胴体に巻き回す後方ベルト８を設け、後方ベルト８は少なくとも一箇所で着脱自在に接続された。【選択図】        図１
0003214285.tif 000002
【実用新案登録請求の範囲】
【請求項１】
四足動物の体の両側で、首から胴部方向にかけて装着する２本の本体フレームを設け、
当該各本体フレームの前部に、犬の首上部に掛ける略逆Ｕ字型の首部フレームを立設し、
当該首部フレームの位置の前記各本体フレームから、当該両側の本体フレームを、たるみを設けて繋ぐ前方ベルトを設け、当該前方ベルトは端部又は中ほどで二分され、かつこれらが着脱自在に接続され、
前記四足動物の顔の両側に位置する前記両側の本体フレームの先端から前記四足動物の顔又は頭の前方を囲むように輪状の弾性変形可能な材質から成るバンパー片を突出させ、前記本体フレームの先端に当該バンパー片の両端部を固定し、
四足動物の前足の後ろに位置する前記両側の本体フレームの後部に前記四足動物の胴体に巻き回す後方ベルトを設け、当該後方ベルトは少なくとも一箇所で二分され、かつこれらが着脱自在に接続されたことを特徴とする、四足動物用バンパー。
【請求項２】
前記バンパー片の両端部は、前記本体フレームの先端に回転、固定自在にネジで接続され、当該ネジの締付け、緩めによって本体フレームに対する前記バンパー片の角度を任意な角度に曲げて固定できる構成としたことを特徴とする、請求項１に記載の四足動物用バンパー。
【請求項３】
前記バンパー片の両端部が、本体フレームの先端に回転、固定自在に接続され、前記バンパー片の両端は円形を成し、
当該各円形端部の中央孔から放射状に複数の長孔を、前記中央孔と一体に設け、前記両側の本体フレームの先端部の外側面から外方略直角に突出する突出軸を設けて、当該各突出軸は前記各円形端部の中央孔及び長孔のいずれかの箇所に挿入されており、当該各長孔の反対側の前記各円形端部の周縁に、当該各円形端部の前記中心孔に向かう係止切欠きを前記長孔に対向して夫々設け、
前記各円形端部に対向する前記本体フレームの位置に前記各係止切欠きに挿入自在な係止突起を設け、前記バンバー片の各円形端部が前記各本体フレームの前記係止突起側に常時付勢される付勢手段を設け、
前記放射状の長孔のいずれかに前記突出軸が入ることにより前記バンパー片の本体フレームに対する角度を調整して固定できる構成とした、請求項１に記載の四足動物用バンパー。
【請求項４】
前記後方ベルトが、後方上部ベルト、後方下部ベルトに分かれ、後方上部ベルトにはカムバックルを設けて、当該カムバックルにより当該後方上部ベルトの長さを調整自在かつ着脱自在に接続され、
前記後方下部ベルトは二分され、これらは着脱自在に接続され、長さ調整部材を有することを特徴とする、請求項１〜３のいずれかに記載の四足動物用バンパー。
【請求項５】
四足動物の体の首の両側から胴部の側面にかけて装着する２本の本体フレームを設け、
当該両側の本体フレームの前部に、四足動物の首上部に掛ける略逆Ｕ字型の首部フレームを立設し、
また、前記本体フレームの前方であって、前記四足動物の顔又は頭の前方を囲むように輪状の弾性変形可能な材質から成るバンパー片を突出させ、当該バンパー片の両端は前記本体フレームに固定され、
前記本体フレームの後部両側二箇所に、四足動物の首下の胴体及び前足の後ろの胴体を巻き、かつ、背中に巻き付けるハーネスを係止したことを特徴とする、四足動物用バンパー。
【考案の詳細な説明】
【技術分野】
【０００１】
この考案は、視力の弱った四足動物、例えば、犬、猫の頭部を保護するため、四足動物に装着して顔又は頭部から前方に突き出し、四足動物が障害物に当たった際の衝撃を吸収する緩衝用のバンパーに関するものである。
【背景技術】
【０００２】
犬の白内障、緑内障、進行性網膜委縮症などの眼病は、犬の疾患の中でも４位を占めるほど多い。言葉で症状を伝えられず、元来近視で情報受信を臭覚に頼っている犬なので、飼い主が愛犬の目の異常に気付かず、発見が遅れてしまい愛犬が失明に至ってしまうケースが多い。
【０００３】
犬の視力が弱まったり、犬が視力を失ってしまうと犬が動いた際、犬の顔の高さにある家具や荷物等の障害物に犬がぶつかり、犬の体、特に頭部を傷つけてしまうおそれがある。従って、この様な犬は次第に散歩や遊びで動くことが減ってしまい、体力や筋力の低下を招く。また、ストレスも蓄積される。
【０００４】
そこで、特許文献１に示す様な、失明した犬の杖が開発された。これは、犬の首輪に、塩化ビニール製の杖をビスで固定して、犬の顔の先に杖を突出させ、これにより顔や頭が家具や壁にぶつかる前に杖がこれらに当たり、犬に痛い思いをさせず、なおかつ杖によりある程度の所在の感覚を覚えさせ、水も飲め、散歩も怖がらず積極的な生活ができようにすることを目的としている。
【先行技術文献】
【特許文献】
【０００５】
【特許文献１】実用新案登録第３０９０４８２号公報
【考案の開示】
【考案が解決しようとする課題】
【０００６】
しかしながら、前記特許文献１のものは、犬の首輪に一端を固定した塩化ビニール製の杖を顔の前方に突出させただけであり、顔の側面が直接壁等にぶつかる
恐れがある。また、杖が合成樹脂製のため折れたりして犬の顔や頭が壁等の障害物にぶつかる恐れがある。
【０００７】
そこで、この考案はこれらの点に着目し、犬に限らず、四足動物の顔又は頭部の周囲にわたって輪状のバンパー片を突出させ、壁等の障害物に当該バンパー片が当たった際に、輪の円形が変形ことによって衝撃を吸収し、四足動物の顔や頭部を確実に保護できる四足動物用バンパーを提供することを目的としたものである。
【課題を解決するための手段】
【０００８】
請求項１の考案は、四足動物の体の両側で、首から胴部方向にかけて装着する２本の本体フレームを設け、当該両側の本体フレームの前部に、四足動物の首上部に掛ける略逆Ｕ字型の首部フレームを立設し、当該首部フレームの位置の前記各本体フレームから、当該両側の本体フレームを、たるみを設けて繋ぐ前方ベルトを設け、当該前方ベルトは端部又は中ほどで二分され、かつこれらが着脱自在に接続され、前記四足動物の顔の両側に位置する前記両側の本体フレームの先端から前記四足動物の顔又は頭の前方を囲むように輪状の弾性変形可能な材質から成るバンパー片を突出させ、前記本体フレームの先端に当該バンパー片の両端部を固定し、四足動物の前足の後ろに位置する前記両側の本体フレームの後部に前記四足動物の胴体に巻き回す後方ベルトを設け、当該後方ベルトは少なくとも一箇所で二分され、かつこれらが着脱自在に接続された、四足動物用バンパーとした。
【０００９】
また、請求項２の考案は、前記バンパー片の両端部は、前記本体フレームの先端に回転、固定自在にネジで接続され、当該ネジの締付け、緩めによって本体フレームに対する前記バンパー片の角度を任意な角度に曲げて固定できる構成とした、請求項１に記載の四足動物用バンパーとした。
【００１０】
また、請求項３の考案は、前記バンパー片の両端部が、本体フレームの先端に回転、固定自在に接続され、前記バンパー片の両端は円形を成し、当該各円形端部の中央孔から放射状に複数の長孔を、前記中央孔と一体に設け、前記両側の本体フレームの先端部の外側面から外方略直角に突出する突出軸を設けて、当該各突出軸は前記各円形端部の中央孔及び長孔のいずれかの箇所に挿入されており、当該各長孔の反対側の前記各円形端部の周縁に、当該各円形端部の前記中心孔に向かう係止切欠きを前記長孔に対向して夫々設け、前記各円形端部に対向する前記本体フレームの位置に前記各係止切欠きに挿入自在な係止突起を設け、前記バンバー片の各円形端部が前記各本体フレームの前記係止突起側に常時付勢される付勢手段を設け、前記放射状の長孔のいずれかに前記突出軸が入ることにより前記バンパー片の本体フレームに対する角度を調整して固定できる構成とした、請求項１に記載の四足動物用バンパーとした。
【００１１】
また、請求項４の考案は、前記後方ベルトが、後方上部ベルトと後方下部ベルトから成り、後方上部ベルトにはカムバックルを設けて、当該カムバックルにより当該後方上部ベルトの長さを調整自在とし、前記後方下部ベルトは二分され、これらは着脱自在に接続され、長さ調整部材を有する、請求項１〜３のいずれかに記載の四足動物用バンパーとした。
【００１２】
請求項５の考案は、四足動物の体の首の両側から胴部の側面にかけて装着する２本の本体フレームを設け、当該両側の本体フレームの前部に、四足動物の首上部に掛ける略逆Ｕ字型の首部フレームを立設し、また、前記本体フレームの前方であって、前記四足動物の顔又は頭の前方を囲むように輪状の弾性変形可能な材質から成るバンパー片を突出させ、当該バンパー片の両端は前記本体フレームに固定され、前記本体フレームの後部両側二箇所に、四足動物の首下の胴体及び前足の後ろの胴体を巻き、かつ、背中に巻き付けるハーネスを係止した、四足動物用バンパーとした。また、ここで言うハーネスには胴輪、胴着を含むものである。
【考案の効果】
【００１３】
請求項１又は５の考案によれば、目の不自由な四足動物、例えば犬に、当該四足動物用バンパーを装着してあげれば、輪状のバンパー片が四足動物の顔の前方、側面を囲むため、犬は自由に歩きまわって、当該犬の頭や顔が壁や障害物に当たる前に当該バンパー片がこれらの障害物に当たり、その際の衝撃をバンパー片が変形してこれを吸収乃至和らげ、犬に大きな衝撃を与えない。従って、犬は安心して散歩や家の中で走り回ることが出来る。これは犬に限らず、四足の動物であれば同様の効果を奏する。また、請求項５の考案は、特に市販のハーネス（胴輪、胴着を含む）を用いることが出来る、廉価で簡易型のバンパーである。
【００１４】
また、請求項２の考案によれば、前記バンパー片の両端部が前記本体フレームの先端にネジで接続されているため、当該ネジを緩めて、本体フレームに対する前記バンパー片の角度を任意な角度に位置させ、再び前記ネジを締め付ければ、前記バンパー片を任意の角度に固定できる。従って、臭いをかぎながら鼻先を地面に近づけて歩く犬であれば、前記バンパー片の角度を調整してやれば、
この様な犬、その他の四足動物でも障害物から保護できる。
【００１５】
また、請求項３の考案によれば、前記請求項２の考案の効果に加え、バンパー片の角度調整がワンタッチで行え、より便利である。
【００１６】
また、請求項４の考案によれば、四足動物の首の下部に付けた前方バンドに加え、胴部に巻いた後方下部バンドを着脱自在に接続しているため、当該バンパーを四足動物の上方から被せ、各バンドを下方で止めることが出来、四足動物へのバンパーの装着が容易である。また、後方上部バンドにカムバックルを設けているため、後方上部バンドの長さ調整が容易であり、犬等の四足動物に本バンパーをより取付け易くなっている。
【図面の簡単な説明】
【００１７】
【図１】この考案の実施の形態例１の四足動物用バンパーＡの後方から見た斜視図である。
【図２】この考案の実施の形態例１の四足動物用バンパーＡの平面図である。
【図３】この考案の実施の形態例１の四足動物用バンパーＡの前方から見た斜視図である。
【図４】この考案の実施の形態例１の四足動物用バンパーＡの前方ベルト及び後方下部ベルトの接続を解いた斜視図である。
【図５】この考案の実施の形態例１の四足動物用バンパーＡの後方上部ベルトを伸ばした状態の斜視図である。
【図６】この考案の実施の形態例１の四足動物用バンパーＡのバンパー片を傾けた状態の前方から見た斜視図である。
【図７】この考案の実施の形態例１の四足動物用バンパーＡを犬に装着した状態の斜視図である。
【図８】この考案の実施の形態例２の四足動物用バンパーＢのバンパー片を本体フレームに対してまっすぐに伸ばした状態の要部斜視図である。
【図９】この考案の実施の形態例２の四足動物用バンパーＢの本体フレームに対してバンパー片を引っ張った状態の要部斜視図である。
【図１０】この考案の実施の形態例２の四足動物用バンパーＢの本体フレームに対してバンパー片を引っ張った状態でバンパー片を回転させた要部斜視図である。
【図１１】この考案の実施の形態例２の四足動物用バンパーＢのバンパー片を本体フレームに対して傾けた状態の要部斜視図である。
【図１２】この考案の実施の形態例２の四足動物用バンパーＢのバンパー片の本体フレームに対する回転、固定の原理構成を示す説明図である。
【図１３】この考案の実施の形態例３の四足動物用バンパーＣの斜視図である。
【図１４】この考案の実施の形態例３の四足動物用バンパーＣの平面図である。
【図１５】この考案の実施の形態例３の四足動物用バンパーＣの使用状態を示す斜視図である。
【考案を実施するための形態】
【００１８】
（実施の形態例１）
この考案の実施の形態例１の四足動物用バンパーＡを図１〜７に基づいて説明する。
【００１９】
犬の体の両側で、首から胴部に掛けて装着する本体フレーム１、１を設け、当該本体フレーム１、１の各前部に、犬の首上部に掛ける略逆Ｕ字型の首部フレーム２の両側下端を固定して、本体フレーム１、１に首部フレーム２を立設している。また、前記本体フレーム１、１は首部フレーム２の前部と後部との間にクランク折曲がり部を設けて後部の相互の間隔を前部の相互の間隔より広く設けている。
【００２０】
また、前記首部フレーム２の下端位置の本体フレーム１、１から下方に、犬の首下部に掛けるためにたるませている前方ベルト３が設けられている。当該前方ベルト３は二つに分けられ、各突き合せ端部にはバックル４、４を有して、これらは着脱自在に接続されている。また、当該前方ベルト３は長さを調整部材を備えた構成となっている。
【００２１】
前記二つの本体フレーム１、１の前端は二股の軸支部１ａ、１ａが形成されている。また、二つの本体フレーム１、１の前端から、装着する犬の顔又は頭部の前方を囲む輪状のバンパー片５を突出させ、当該バンパー片５の両端は折り曲げられて相互に平行な平行端部５ａを形成し、当該各平行端部５ａは前記各本体フレーム１の二股の軸支部１ａの間に挿入され、軸６、６で回転自在に接続されている。また、前記バンパー片５は弾性変形可能な部材から成る。
【００２２】
前記各軸支部１ａの外側に突出した軸６、６はねじが切られており（図示省略）、当該ねじ部に蝶ナット状のつまみ７、７が螺着されている。従って、前記バンパー片５は、図６に示す様に、本体フレーム１、１に対して任意の角度をつけて固定することが出来る。
【００２３】
また、前記本体フレーム１、１の後端部１ｂの上下の貫通孔には装着する犬の胴部に巻き回す後方ベルト８が挿通されて設けられている。この後方ベルト８は一本でつながっているが、前記各本体フレーム１の上下で後方上部ベルト８ａと後方下部ベルト８ｂとから成っている。後方下部ベルト８ａは、さらに二つに分けられ、各突き合せ端部にはバックル９、９を有して、これらは着脱自在に接続されている。また、当該後方下部ベルト８ｂは長さ調整部材を有する構成となっている。
【００２４】
また、前記後方上部ベルト８ａにはカムバックル１０、１０を設け、図５に示す様に、各カムバックル１０箇所で後方上部ベルト８ａの長さを調整自在としている。
【００２５】
以上の構成の四足動用バンパーＡを、図７に示す様に、犬Ｄに装着させる。これには、図４に示す様に、前部ベルト３のバックル４を及び後方下部ベルト８ｂのバックル９を外し、犬Ｄの上から当該四足動用バンパーＡを被せ、犬Ｄの首下で前記バックル４を留め、前足の後ろの胴部下で前記バックル９を留める。
【００２６】
これにより、輪状のバンパー片５が犬Ｄの顔又は頭部を囲んで突出する。従って、犬Ｄが歩いたりして動いて電柱や家具等の障害物に当たった際、前記バンパー片５がこれらに当たって、バンパー片５の弾性変形で衝撃を吸収し、犬Ｄは直接的な衝撃を受けない。かつ障害物から犬Ｄが離れれば、バンパー片５弾性により元の形に戻る。
【００２７】
（実施の形態例２）
この考案の実施の形態例２の四足動物用バンパーＢに関して図８〜図１２に基づいて説明する。
【００２８】
この実施の形態例２の四足動物用バンパーＢは、バンパー片５の本体フレーム１に対する角度調整構造が、実施の形態例１の四足動物用バンパーＡと異なり、ワンタッチで調整可能となっている。他の構成は実施の形態例１の四足動物用バンパーＡと同じである。    
【００２９】
図８は、四足動物用バンパーＢのバンパー片５を本体フレーム１に対してまっすぐに伸ばした状態で接続した状態を示す。前記首部フレーム２より前部の本体フレーム１の外側に段部を設け、当該段部から水平な係止突起１１が前方に向けて設けられている。また、当該係止突起１１の前方の各本体フレーム１の外側面から突出軸１２が外方に向けて水平に設けられている。
【００３０】
一方、バンパー片５の両側端部を夫々円形端部５ｂとし、当該円形端部５ｂに中心孔５ｃを設け、この中心孔５ｃに続いて、放射状に複数の長孔５ｄを中央孔５ｃと一体に設け、当該複数の各長孔５ｄに対向する位置の円形端部５ｂの周縁に、前記中央孔５ｃに向けた係止切欠き５ｅが設けられている。
【００３１】
そして前記突出軸１２を前記バンパー片５の円形端部５ｂの中央孔５ｃに入れてバンパー片５の円形端部５ｂと本体フレーム１の前端部とを重ね、バンパー片５は本体フレーム１に対して回転自在に接続されている。また、当該バンパー５の円形端部５ｂを本体フレーム１の後方に常時引っ張る付勢手段、例えばバネ（図示省略）が設けられている。
【００３２】
これにより、図１２の（ａ）図に示す様に、前記突出軸１２を円形端部５ｂの一つの長孔５ｄの前端に移動させ、この長孔５ｄに対向する前記係止切欠き５ｅに本体フレーム１の係止突起１１が嵌り、前記バンパー片５は本体フレーム１に対してまっすぐに伸ばした状態で接続されている。
【００３３】
この状態から、図９及び図１２の（ｂ）図に示す様に、バンパー片５を、前記付勢手段に抗して、本体フレーム１から引き離すように引っ張り、係止突起１１から円形端部５ｂの係止切欠き５ｅを外し、これにより突起軸１２は長孔５ｄから中央孔５ｃに移動し、バンパー片５を、図１０又は図１２の（ｃ）図に示す様に、回転させる。
【００３４】
この状態でバンパー片５の引っ張りを止めると、前記付勢手段により、前記突起軸１２を他の長孔５ｄに入れ、当該長孔５ｄに対向する係止切欠き５ｅに前記係止突起１１が入り、バンパー片５は傾いた状態で本体フレーム１に接続される。この状態が図１１又は図１２の（ｄ）図の状態である。
【００３５】
上記図８〜図１２では、バンパー片５の円形端部５ｂには中央孔５ｃと一体な長孔５ｄを２個設けた例を示しているが、長孔５ｄは２個に限らず、３個、４個等増やすことが出来、この様にすると、バンパー片５の角度調整がよりきめ細かく行える。
【００３６】
この様に、この四足動物用バンパーＢの構成では、バンパー片５の本体フレーム１に対する角度調整をワンタッチで行える。
【００３７】
（実施の形態例３）
次にこの考案の実施の形態例３の四足動物用バンパーＣに関し、図１３〜図１５に基づいて説明する。
【００３８】
四足動物の体の首の両側から胴部の側面にかけて装着する２本の本体フレーム１３、１３を設け、当該両側の本体フレーム１３、１３の前部に、四足動物の首上部に掛ける略逆Ｕ字型の首部フレーム１４をわたして立設し、また、前記本体フレーム１３の前方であって、前記四足動物の顔又は頭の前方を囲むように輪状の弾性変形可能な材質から成るバンパー片１５を突出させ、当該バンパー片１５の両端は前記本体フレーム１３の前端部に固定されている。
【００３９】
前記各本体フレーム１３の後部に夫々の開口部を対向させた折り曲げ片１３ａを２個設け、両側の本体フレーム１３の前後２つの折り曲げ片１３ａに、四足動物の前足の前後の胴体及び背中に巻き付けるハーネス１６を係止する構成とした。このハーネス１６には胴輪や胴着も含まれるものである。そして、この様なハーネス、胴輪又は胴着は市販されているものを利用でき、当該四足動物用バンハーＣをより廉価に入手することができる。
【００４０】
この四足動物用バンパーＣは、図１５に示しように、視力の衰えた犬Ｄに装着することにより、前記実施の形態例１及び２と同様に、これを装着した犬が散歩や家の中での動きで、障害物にぶつかりそうになった際、バンパー片１５が障害物に当たって、衝撃を吸収し、犬Ｄへの衝撃を和らげて保護するものである。
【００４１】
なお、前記実施の形態例１及び２とも、後方ベルト８の後方上部ベルト８ａにカムバックル１０を設けることにより、当該後方ベルト８の長さを調整でき、これにより四足動物の背中と本体フレーム１、１の間の距離を調整することにより、バンパー片５の先端位置を高くしたり、低くすることが出来る。また、上記実施の形態例１〜３では、犬を例としたが、この考案は他の四足動物にも適用できる。
【符号の説明】
【００４２】
Ａ      四足動物用バンパー        Ｂ      四足動物用バンパー
Ｃ      四足動物用バンパー        Ｄ      犬
１      本体フレーム              １ａ    軸支部  
１ｂ    後端部                    
２      首部フレーム              ３      前方ベルト
４      バックル                  ５      バンパー片
５ａ    平行端部                  ５ｂ    円形端部
５ｃ    中央孔                    ５ｄ    長孔
５ｅ    係止切欠き                ６      軸  
７      つまみ                    ８      後方ベルト
８ａ    後方上部ベルト            ８ｂ    後方下部ベルト
９      バックル                  １０    カムバックル
１１    係止突起                  １２    突起軸
１３    本体フレーム              １４    首部フレーム
１５    バンパー片                １６    ハーネス
【図１】
0003214285.tif 000003
【図２】
0003214285.tif 000004
【図３】
0003214285.tif 000005
【図４】
0003214285.tif 000006
【図５】
0003214285.tif 000007
【図６】
0003214285.tif 000008
【図７】
0003214285.tif 000009
【図８】
0003214285.tif 000010
【図９】
0003214285.tif 000011
【図１０】
0003214285.tif 000012
【図１１】
0003214285.tif 000013
【図１２】
0003214285.tif 000014
【図１３】
0003214285.tif 000015
【図１４】
0003214285.tif 000016
【図１５】
0003214285.tif 000017